(57)【要約】    【課題】  アンテナ部をタグ本体内に収納しないで外部に設けることにより、タグ本体のサイズを最小限にとどめ、さらに、外部に設けたアンテナ部をタグピンとして兼用することによりコストダウンを図ったＩＣ内蔵タグを提供することを課題とする。【解決手段】  上紙４と裏紙５との間にＩＣチップ６を内蔵し、上紙４および裏紙５を貼り合せて形成されるタグ本体２と、ＩＣチップ６に一端が接続され、他端がタグ本体２より外部へ向け突出して設けられたアンテナ部３と、を備えることを特徴とする。 【選択図】        図２
2005128958.tif 000002
【特許請求の範囲】
【請求項１】
上紙と裏紙との間にＩＣチップを内蔵し、前記上紙および裏紙を貼り合せて形成されるタグ本体と、
前記ＩＣチップに一端が接続され、他端が前記タグ本体より外部へ向け突出して設けられたアンテナ部と、
を備えることを特徴とするＩＣ内蔵タグ。
【請求項２】
前記アンテナ部は、周囲を被覆材で覆われ、吊り下げ具として兼用されることを特徴とする請求項１に記載のＩＣ内蔵タグ。
【請求項３】
上紙と裏紙との間にＩＣチップを内蔵し、前記上紙および裏紙を貼り合せて形成されるタグ本体を、商品に取付けて表示するＩＣ内蔵タグであって、
前記タグ本体の周縁部の一側端部より前記ＩＣチップの近辺に向けて切り込まれた第１のスリット部と、前記一側端部に対向する他側端部から前記一側端部に向けて、前記一側端部の一部を残した未切断部を形成した状態で前記第１のスリット部にほぼ平行に切り込まれた第２のスリット部と、により、前記一側端部および他側端部との間に形成され周縁部の一端部に設けられた蛇行状の経路部と、
前記ＩＣチップに基端部が接続され、先端部側が経路部の終端部に向け前記経路部に沿って前記上紙および裏紙の間に挟持されて形成されたアンテナ部と、を備え、
前記第１のスリットおよび第２のスリットに沿ってタグ本体より外部に向けて引き伸ばし、前記アンテナ部にて前記商品に取付けることを特徴とするＩＣ内蔵タグ。
【請求項４】
前記第２のスリット部と平行に、前記一側端部より他側端部に向けて、前記他側端部の一部を残した未切断部を形成した状態で切り込まれる第３のスリット部を備え、前記第２および第３のスリット部を交互に複数設けたことを特徴とする請求項３に記載のＩＣ内蔵タグ。
【発明の詳細な説明】
【技術分野】
【０００１】
本発明は、非接触方式でデータの送受信を行うＩＣ内蔵タグに関する。
【背景技術】
【０００２】
従来、図６に示すようなＩＣ内蔵タグが知られている。このＩＣ内蔵タグ２１は、上紙２２と裏紙２３の間に「アンテナ」としての薄膜コイル２４などの共振回路とＩＣチップ２５とを内蔵し、図示省略の外部のリーダ・ライタなどの機器と非接触（無線）方式にてＩＣチップ２５に対する読み出しや書き換え記録を行うと共に、上紙２２に目視可能な視認情報を印字できるようになっている（例えば、特許文献１参照）。
そして、図６に示すように、上紙２２および裏紙２３を貫通してあけられた吊り下げ孔２６に糸２７や図示省略のタグピンなどを挿通して衣料品あるいは装飾品の値札などに利用されている。
しかしながら、上記のようなＩＣ内蔵タグ２１は、アンテナとしての薄膜コイル２４の長さが共振周波数とキャパシタンスとの関係で小さくできないという問題がある。すなわち、離れた距離からの読み出しや書き換えを可能とするためには、共振周波数を大きくする必要があり、より離れた距離からの読み出し／書き換えを望むほど共振周波数を大きくする必要があることから、必然的に薄膜コイル（アンテナ）２４を長く取る必要があったため、ＩＣ内蔵タグ２１のサイズ（大きさ）を小さくできず、コストダウンが図れないという問題があった。
また、衣料品などに取付ける際、糸２７やタグピン（図示省略）を使用するため糸２７やタグピンのコストが削減できず、しかも、吊り下げ孔２６に糸２７やタグピン（図示省略）を挿通する必要があるため手間が掛かり作業効率を含め全体的なコストダウンが図れないという問題があった。
【特許文献１】特開２００２−２８８６２２号公報
【発明の開示】
【発明が解決しようとする課題】
【０００３】
本発明は、上記の問題点に着目してなされたものであり、アンテナ部をタグ本体内に収納しないで外部に設けることにより、タグ本体のサイズを最小限にとどめ、さらに、外部に設けたアンテナ部をタグピンとして兼用することによりコストダウンを図ったＩＣ内蔵タグを提供することを課題とする。
【課題を解決するための手段】
【０００４】
本発明の第１の発明に係るＩＣ内蔵タグは、上紙と裏紙との間にＩＣチップを内蔵し、前記上紙および裏紙を貼り合せて形成されるタグ本体と、前記ＩＣチップに一端が接続され、他端が前記タグ本体より外部へ向け突出して設けられたアンテナ部と、を備えることを特徴とするＩＣ内蔵タグ。
また、アンテナ部は、周囲を被覆材で覆われ、吊り下げ具として兼用されるようにできる。
本発明の第２の発明に係るＩＣ内蔵タグは、上紙と裏紙との間にＩＣチップを内蔵し、前記上紙および裏紙を貼り合せて形成されるタグ本体を、商品に取付けて表示するＩＣ内蔵タグであって、前記タグ本体の周縁部の一側端部より前記ＩＣチップの近辺に向けて切り込まれた第１のスリット部と、前記一側端部に対向する他側端部から前記一側端部に向けて、前記一側端部の一部を残した未切断部を形成した状態で前記第１のスリット部にほぼ平行に切り込まれた第２のスリット部と、により、前記一側端部および他側端部との間に形成され周縁部の一端部に設けられた蛇行状の経路部と、前記ＩＣチップに基端部が接続され、先端部側が経路部の終端部に向け前記経路部に沿って前記上紙および裏紙の間に挟持されて形成されたアンテナ部と、を備え、前記第１のスリットおよび第２のスリットに沿ってタグ本体より外部に向けて引き伸ばし、前記アンテナ部にて前記商品に取付けることを特徴とする。
また、第２のスリット部と平行に、前記一側端部より他側端部に向けて、前記他側端部の一部を残した未切断部を形成した状態で切り込まれる第３のスリット部を備え、前記第２および第３のスリット部を交互に複数設けるようにできる。
【発明の効果】
【０００５】
ＩＣチップを内蔵したタグ本体より、外部へ向けてアンテナ部を突出して設けるようにしたので、タグ本体のサイズを最小限にとどめることができ、もって、材料費などの軽減が図れるとともに、ＩＣを内蔵したタグでありながら宝石タグなどの小サイズのタグとしても使用できるという効果がある。
さらに、アンテナ部が、周囲を被覆材で覆われ、吊り下げ具として兼用されるようにすれば、そのまま商品への吊り下げ・表示が可能となる。
また、タグ本体の周縁部の一側端部よりＩＣチップの近辺に向けて第１のスリット部を切り込み、かつ、この第１のスリット部にほぼ平行に、一側端部の一部を残した未切断部を形成した状態で第２のスリット部を切り込むことにより、タグ本体の一端部に蛇行状の経路部を設け、タグ本体に設けられたＩＣチップより前記経路部に沿ってアンテナ部を設け、さらに、前記第１および第２のスリット部に沿ってタグ本体より外部に向けて引き伸ばし、アンテナ部を用いて商品に取付けるようにしたので、タグのサイズを最小限にとどめることができ、かつ、アンテナ部を吊り下げ具として兼用できるので、コストダウンが図れるという効果がある。
また、第２のスリット部と平行に、他側端部の一部を残した未切断部を形成した状態で第３のスリット部を切り込み、第２および第３のスリット部を交互に複数設けるようにすれば、アンテナ部を長く設定することができる。
【発明を実施するための最良の形態】
【０００６】
以下、本発明の一実施の形態によるＩＣ内蔵タグを図１および図２に基づき説明する。
図１は、ＩＣ内蔵タグ１の平面図であり、図２は、図１中、矢示ＩＩ−ＩＩ線に沿う概略断面図である。
同図に示すように、ＩＣ内蔵タグ１は、タグ本体２と、アンテナ部３とを備える。
【０００７】
ラベル本体２は，上紙４および裏紙５との間にＩＣチップ６を有し、このＩＣチップ６を前記上紙４と裏紙５との間に挟んで粘着剤７により貼り合せて構成している。
【０００８】
また、アンテナ部３は、アンテナ本体８と、このアンテナ本体８の周りを被覆する被覆材９と、係止部１０とより成る。
アンテナ本体８の基端部側は、前記タグ本体２のＩＣチップ６に接続され、先端部側は、前記被覆材９に被覆された状態でタグ本体２より外部へ向けて突出して設けられており、かつ、被覆材９の先端部には、係止部１０が設けられている。
被覆材９は、アンテナ本体８の保護用および図示省略の商品への表示用ピンとしての役割を兼ね備えており、この被覆材９の先端部に係止部１０が、被覆材９に対しＴ字状に形成されて設けられている。
【０００９】
次に、本発明に係るＩＣ内蔵タグ１の使用例を説明する。
図示省略のプリンタにて、タグ本体２の上紙４の表面に価格などの目視可能な情報を印字する。
図示省略のＹシャツやセーターなどの商品に取付け・表示する際、アンテナ部３の先端部の係止部１０をボタンやボタン孔（図示省略）などに引っ掛けて用いるか、あるいは、セーターなどの生地を通して挿通させて引っ掛けるなどして、商品に表示する。
【００１０】
上述したように、タグ本体２より外部へ向けて突出してアンテナ部３を設けるようにしたので、価格などの印字を行うタグ本体２に、従来のようにアンテナ本体８を設けなくて済む分、タグ本体２の大きさを小さくすることができ、かつ、より離れた距離からの読み出し／書き換えを望む場合は、タグ本体２より突出させたアンテナ本体８を長くすることにより、大きな共振周波数を確保でき、タグ本体２のサイズ（大きさ）を変えることなく種種の共振周波数に対応ができるので、アンテナ部３の長さの加減により送受信装置（図示省略）との間の様々な距離に対応したＩＣ内蔵タグ１が容易に実現できるものである。
【００１１】
次に、主に、図３ないし図５に基づき、本発明の第２の実施の形態に係るＩＣ内蔵タグを説明する。
なお、先の実施の形態と同様の部分には同一符号を付すに止め、詳説を省略する。
【００１２】
図３は、本実施の形態に係るＩＣ内蔵タグ１１が連接された連続体１９を示す図であり、隣接されたＩＣ内蔵タグ１１間はミシン目３０などにより区画され、ミシン目３０に沿って切り離すことにより、図４に示すような、ＩＣ内蔵タグ１１が単体で得られるように成形されている。
【００１３】
同図で示すように、ＩＣ内蔵タグ１１は、価格などの印字を行うタグ本体１２と、アンテナ部１３とに大別される。
【００１４】
タグ本体１２は、上紙４および裏紙５の間にＩＣチップ６を挟んで粘着剤７により貼り合せて構成してある。
【００１５】
アンテナ部１３は、タグ本体１２の一端部（図４における上端部）に隣接して設けられており、一側端部（図４における右側端部）よりＩＣチップ６の近辺に向けて第１のスリット部１４が切込まれている。
また、前記一側端部に対向する他側端部（図４における左側端部）より右側端部に向け、未切断部１５を形成した状態で前記第１のスリット部１４にほぼ平行に第２のスリット部１６が切込まれている。
さらに、前記第２のスリット部１６とほぼ平行に、右側端部より左側端部に向け、未切断部１７を形成した状態で第３のスリット部１８が切込まれている。
なお、図４においては、さらに、左側端部より右側端部に向けて第２のスリット部１６が、未切断部１５を形成した状態で切込まれている。
前記したように、右側端部よりＩＣチップ６近辺まで切込まれた第１のスリット部１４、これとほぼ平行で左側端部より右側端部側に未切断部１５を残して切込まれた第２のスリット部１６、この第２のスリット部１６にほぼ平行に右側端部より左側端部に向けて未切断部１７を形成した状態で切込まれた第３のスリット部１８、この第３のスリット１８のさらに外側に、第２のスリット部１６が未切断部１５を残して形成されており、これらのスリット部１４、１６、１８、１６により蛇行状の「経路部」が形成されている。
そして、前記「経路部」に沿って上紙４と裏紙５の間にアンテナ本体８を挟み、アンテナ本体８の基端部をＩＣチップ６に接続するとともに、先端部側を「経路部」に沿って蛇行状態で伸延させた状態で粘着剤７により貼り合せてある。
なお、３１は一端を残して形成された切込み部であり、この切込み部３１により区画された部分は、係止部２０とされる。
【００１６】
次に、主に、図５を用いて、ＩＣ内蔵タグ１１の使用例を説明する。
図示省略のプリンタにて、タグ本体１２の上紙４の表面に価格などの目視可能な情報を印字する。印字の際、ＩＣ内蔵タグ１１が連接された連続体１９となっているので、連続した印字が可能なものである。価格などの情報が目視可能に印字された連続体１９よりミシン目３０に沿って切り離し、単葉のＩＣ内蔵タグ１１を得る（図４参照）。
【００１７】
次に、タグ本体１２より第２のスリット部１６に沿って外部に向けアンテナ部１３を伸ばし、さらに、第３のスリット部１８、第２のスリット部１６、第１のスリット部１４に沿って外部に引き伸ばすと、アンテナ部１３はアンテナ本体８を上紙４と裏紙５との間に挟んだ状態でタグ本体１２の上端部側（図５における上部側）に伸延される。
また、アンテナ部１３を伸した状態で、さらに、切込み部３１に沿って係止部２０起こしてカギ形状に折り曲げ、アンテナ部１３の先端に設けられた前記係止部２０を図示省略のＹシャツやセーターなどのボタンやボタン孔（図示省略）などに引っ掛けて取付け・表示する。
【００１８】
上述したように、タグ本体１２とは別に、隣接してアンテナ部１３を設け、右側端部よりＩＣチップ６近辺に切込んだ第１のスリット部１４、左側端部より右側端部に向け未切断部１５を形成した状態で切込んだ第２のスリット部１６、右側端部より左側端部に向け未切断部１７を形成した第３のスリット部１８、さらに、その外側に未切断部１５を形成した状態で切込んだ第２のスリット部１６により形成した「経路部」に沿ってアンテナ本体８を設けたアンテナ部１３とし、前記スリット部１６、１８、１６、１４に沿ってタグ本体１２より外側に向けてアンテナ部１３を伸延させると蛇行状の「経路部」が延び、さらに、アンテナ部１３の先端部に設けた係止部２０を商品（図示省略）に引っ掛けて取り付けることができるので、タグ本体１２のサイズを最小限にとどめることができ、かつ、アンテナ部１３を吊り下げ具として兼用できるので、コストダウンが図れるものである。
タグ本体１２のサイズを最小限にとどめることができ、しかも、ＩＣチップ６に多量の情報が記憶可能なことから、指輪のように、原石の色や産地、大きさなどの鑑定書に則した内容を記憶できるだけでなく、表示対象である小サイズの指輪に見合い必要とされる小さめの表示札としても採用可能である。
【００１９】
また、第２のスリット部１６と第３のスリット部１８とを交互に複数設けるようにすれば、タグ本体１２のサイズ（大きさ）は変えることなく、アンテナ部１３を長く設定することができるので、価格などの目視可能な情報を印字する際のフォーマットを変更することなく、種種の共振周波数に対応したアンテナ部１３が実現可能となる。
他の構成、作用、効果は、先の実施の形態とほぼ同様につき、詳説を省略する。
【００２０】
なお、上記実施の形態の構成及び動作は例であって、本発明の趣旨を逸脱しない範囲で適宜変更することができることは言うまでもない。    例えば、ＩＣ内蔵タグ１（図１）は、説明の都合上、単葉のもので説明したがこれに限定されないことは勿論であり、図１における左右に連接された「連続体」を採用することも可能である。
【図面の簡単な説明】
【００２１】
【図１】本発明の一実施の形態によるＩＣ内蔵タグ１の平面説明図である。
【図２】同、図１中、矢示ＩＩ−ＩＩ線に沿う概略断面図である。
【図３】本発明の他の実施の形態によるＩＣ内蔵タグ１１の連続体の平面説明図である。
【図４】同、ＩＣ内蔵タグ１１単体の平面説明図である。
【図５】同、使用状態を示す説明図である。
【図６】従来のＩＣ内蔵タグを示す平面説明図である。
【符号の説明】
【００２２】
１    ＩＣ内蔵タグ（第１の実施の形態）
２    タグ本体
３    アンテナ部
４    上紙
５    裏紙
６    ＩＣチップ
７    粘着剤
８    アンテナ本体
９    被覆材
１０  係止部
１１  ＩＣ内蔵タグ（第２の実施の形態）
１２  タグ本体
１３  アンテナ部
１４  第１のスリット部
１５  未切断部
１６  第２のスリット部
１７  未切断部
１８  第３のスリット部
１９  連続体
２０  係止部
２１  ＩＣ内蔵タグ（従来例）
２２  上紙
２３  裏紙
２４  薄膜コイル（アンテナ部）
２５  ＩＣチップ
２６  吊り下げ孔
２７  糸
３０  ミシン目
３１  切込み部
【図１】
2005128958.tif 000003
【図２】
2005128958.tif 000004
【図３】
2005128958.tif 000005
【図４】
2005128958.tif 000006
【図５】
2005128958.tif 000007
【図６】
2005128958.tif 000008